(57)【特許請求の範囲】
【請求項１】
共通バス（６）に、呼出・通話を行なうための通話モジュール（２）および前記通話モジュールに接続され居室親機選局呼出のための呼出スイッチ（３１）を有する複数のスイッチモジュール（３、・・・）から構成された玄関機（５）と、前記呼出スイッチの使用による前記選局呼出を検出する制御回路（４３）及び前記制御回路による前記選局呼出の検出時において呼出音が鳴動しないように設定するための呼出音量切替スイッチ（４７）を有し選局された１機が前記玄関機と呼出・通話を行なう複数の居室親機（４、・・・）とを接続した集合住宅用インターホンシステムであって、
各スイッチモジュールには、前記居室親機の前記呼出音量切替スイッチの使用による前記呼出音が鳴動しない設定を検出した前記選局呼出時の前記制御回路からの切替信号が受信され、前記スイッチモジュールへの照明の明るさを変えること及び前記照明の色を変えることの何れかにより前記呼出音を切断していることが判るようにする照明回路（３２）を制御するためのスイッチ制御回路（３３）を備えたことを特徴とする集合住宅用インターホンシステム。
【発明の詳細な説明】
【０００１】
【発明の属する技術分野】
本発明は集合住宅用インターホンシステムに係り、特に、居室親機が呼出音量切替スイッチで呼出音を鳴動させないように設定された際に、玄関機側でこの居室親機が呼出音を切断していることが容易に判るようにした集合住宅用インターホンシステムに関する。
【０００２】
【従来の技術】
従来から、この種の集合住宅用インターホンシステムとして、図３に示すような集合住宅用インターホンシステムが提案されている。この集合住宅用インターホンシステムは、集合住宅のエントランス等に設置される玄関機１０５と、集合住宅の複数の住戸内にそれぞれ設置される居室親機１０４、・・・と、玄関機１０５および複数の居室親機１０４、・・・をバス接続する共通バス１０６と、電源専用線１０７を介して玄関機１０５および複数の居室親機１０４、に直流電源の供給を行なう電源回路１１１を有するバスI/Fモジュール１０１とから構成されている。
【０００３】
玄関機１０５は、共通バス１０６および電源専用線１０７に接続され呼出・通話を行うための通話モジュール１０２と、通話モジュール１０２に接続され居室親機選局呼出のための複数のスイッチモジュール１０３、・・・とから構成されている。通話モジュール１０２は、共通バス１０６に接続され各種信号を多重・分離するインターフェイス回路１２１と、インターフェイス回路１２１に接続されマイク、スピーカなどを具備する通話回路１２２と、インターフェイス回路１２１にデータ送受信回路１２４を介して接続される制御回路１２３と、電源専用線１０７に接続される電源回路１２５とから構成されている。なお、制御回路１２３は通話回路１２２に接続されている。スイッチモジュール１０３は、呼出スイッチ１３１が接続されたスイッチ制御回路１３３を有し、このスイッチ制御回路１３３は、通話モジュール１０２の制御回路１２３に接続されている。また、スイッチモジュール１０３は照明回路１３２を有している。なお、他の複数のスイッチモジュール１０３、・・・は、各スイッチ制御回路１３３が直列接続されている。
【０００４】
居室親機１０４は、共通バス１０６に接続され各種信号を多重・分離するインターフェイス回路１４１と、インターフェイス回路１４１に接続されハンドセット、呼出スピーカなどを具備する通話回路１４２と、通話回路１４２に接続され当該通話回路１４２が具備する呼出スピーカの呼出音量を切替える呼出音量切替スイッチ１４７と、インターフェイス回路１４１にデータ送受信回路１４４を介して接続される制御回路１４３と、電源専用線１０７に接続される電源回路１４５とから構成されている。なお、制御回路１４３は通話回路１４２に接続されている。
【０００５】
このように構成された集合住宅用インターホンシステムにおいて、玄関機１０５で所定の住戸の居室親機１０４を呼び出すことができるスイッチモジュール１０３の呼出スイッチ１３１にて呼出操作すると、呼出データ信号が通話モジュール１０２および共通バス１０６を介して選局された居室親機１０４に伝送される。居室親機１０４は、この呼出データ信号に基づき通話回路１４２の呼出スピーカを鳴動させ、住人に玄関機１０５から呼出があったことを知らせる。この呼出に対して住人が居室親機１０４の通話回路１４２のハンドセットで通話操作を行うと、選局された居室親機１０４、玄関機１０５間で通話路が形成される。
【０００６】
なお、住戸の住人が居室親機１０４の呼出スピーカを鳴動させたくない場合には、居室親機１０４の呼出音量切替スイッチ１４７で呼出スピーカの呼出音が鳴動しないように設定する。
【０００７】
【発明が解決しようとする課題】
しかしながら、このような従来の集合住宅用インターホンシステムでは、居室親機１０４の呼出音量切替スイッチ１４７で呼出スピーカの呼出音が鳴動しないように設定されている場合に、玄関機側ではこの居室親機１０４が呼出スピーカの呼出音を切断していることが判らないという難点があった。
【０００８】
本発明はこのような従来の難点を解決するためになされたもので、居室親機が呼出音量切替スイッチで呼出音を鳴動させないように設定された際に、この居室親機が呼出音を切断していることを、玄関機側のスイッチモジュールの照明による照度や色を変化させることによって容易に判るようにした集合住宅用インターホンシステムを提供することを目的とする。
【０００９】
【課題を解決するための手段】
上記目的を達成する本発明の集合住宅用インターホンシステムは、共通バスに、呼出・通話を行なうための通話モジュールおよび通話モジュールに接続され居室親機選局呼出のための呼出スイッチを有する複数のスイッチモジュールから構成された玄関機と、呼出スイッチの使用による選局呼出を検出する制御回路及び制御回路による選局呼出の検出時において呼出音が鳴動しないように設定するための呼出音量切替スイッチを有し選局された１機が玄関機と呼出・通話を行なう複数の居室親機とを接続した集合住宅用インターホンシステムであって、各スイッチモジュールには、居室親機の呼出音量切替スイッチの使用による呼出音が鳴動しない設定を検出した選局呼出時の制御回路からの切替信号が受信され、スイッチモジュールへの照明の明るさを変えること及び照明の色を変えることの何れかにより呼出音を切断していることが判るようにする照明回路を制御するためのスイッチ制御回路を備えたものである。
【００１０】
このような集合住宅用インターホンシステムによれば、居室親機の呼出音量切替スイッチで呼出音が鳴動しないように設定すると、玄関機のこの居室親機を示すスイッチモジュールの照明の明るさを変えること或いは照明の色を変えることができるので、玄関機側でその居室機が呼出音を切断していることが容易に判るようになる。
【００１１】
【発明の実施の形態】
以下、本発明の集合住宅用インターホンシステムによる好ましい実施の形態例について、図面を参照して説明する。
【００１２】
本発明の集合住宅用インターホンシステムは図２に示すように、集合住宅のエントランス等に設置される玄関機５と、集合住宅の複数の住戸内にそれぞれ設置される居室親機４と、玄関機５および複数の居室親機４、・・・をバス接続する共通バス６と、共通バス６を介して玄関機５および複数の居室親機４、・・・に直流電源の供給を行なうバスI/Fモジュール１とから構成されている。
【００１３】
玄関機５は、共通バス６に接続され呼出・通話を行なうための通話モジュール２と、通話モジュール２に接続され居室親機選局呼出のための複数のスイッチモジュール３、・・・とから構成されている。通話モジュール２は図１に示すように、共通バス６に入力インピーダンスを高インピーダンスに増大するインピーダンスアッパー回路２１を介して接続される多重・分離回路２６を有し、この多重・分離回路２６にはマイクＭ、スピーカＳ（図２）などを具備する通話回路２２と、制御回路２３に接続されるデータ送受信回路２４と、玄関機５の各回路に電源を供給する電源回路２５とがそれぞれ接続されている。なお、制御回路２３は通話回路２２に接続され、当該通話回路２２を制御している。スイッチモジュール３は図１に示すように、呼出スイッチ３１と当該呼出スイッチ３１に並設された記名カード３４を照らす照明となる照明回路３２とが接続されたスイッチ制御回路３３を有し、このスイッチ制御回路３３は通話モジュール２の制御回路２３に接続されている。なお、他の複数のスイッチモジュール３、・・・は、各スイッチ制御回路３３が直列接続されている。
【００１４】
居室親機４は図１に示すように、共通バス６に入力インピーダンスを高インピーダンスに増大するインピーダンスアッパー回路４１を介して接続される多重・分離回路４６を有し、この多重・分離回路４６にはハンドセットＨＳ、呼出スピーカＣＳ（図２）などを具備する通話回路４２と、制御回路４３に接続されるデータ送受信回路４４と、居室親機４の各回路に電源を供給する電源回路４５とがそれぞれ接続され、さらに、通話回路４２には当該通話回路４２が具備する呼出スピーカＣＳの呼出音量を切替える呼出音量切替スイッチ４７が接続されている。また、制御回路４３は呼出音量切替スイッチ４７および通話回路４２が接続され、呼出音量切替スイッチ４７の切替操作に応じた切替信号を玄関機５の対応するスイッチモジュール３のスイッチ制御回路３３に出力したり、当該通話回路４２を制御したりしている。
【００１５】
バスI/Fモジュール１は図１に示すように、直流電源に電源回路１１を介して接続される出力インピーダンスを高インピーダンスに増大するインピーダンスアッパー回路１２を備えている。
【００１６】
このように構成された集合住宅用インターホンシステムにおいて、玄関機５で所定の住戸の居室親機４を呼び出すことができるスイッチモジュール３の呼出スイッチ３１にて呼出操作すると、呼出データ信号が通話モジュール２および共通バス６を介して選局された居室親機４に伝送される。この居室親機４の制御回路４３は、呼出データ信号に基づき通話回路４２が有する呼出スピーカＣＳにて呼出音を放音させる。この呼出に対して住人が居室親機４の通話回路４２のハンドセットＨＳで通話操作を行なうと、選局された居室親機４、玄関機５間で通話路が形成され、居室親機４の通話回路４２と玄関機５の通話回路２２とで音声信号による通話ができるようになる。
【００１７】
一方、このような呼出に対して住戸の住人が居室親機４の呼出スピーカＣＳを鳴動させたくない場合には、居室親機４の呼出音量切替スイッチ４７で呼出スピーカＣＳの呼出音が鳴動しないように設定する。これにより、居室親機４の制御回路４３から、「呼出スピーカＣＳを鳴動させたくない旨」の切替信号が伝送される。この切替信号は、玄関機５の対応するスイッチモジュール３のスイッチ制御回路３３で受信され、このスイッチ制御回路３３は、例えば照明回路３２に記名カード３４を照らす照明の明るさを暗くする照明制御信号を照明回路３２に伝送する。したがって、玄関機５の対応するスイッチモジュール３の記名カード３４を照らす照明の明るさのみが暗くなっているので、玄関機側でその居室機４が呼出スピーカＣＳの呼出音を切断していることが容易に判るようになる。また、居室親機４の呼出スピーカＣＳを鳴動させたい場合には、居室親機４の呼出音量切替スイッチ４７で呼出スピーカＣＳの呼出音が鳴動するように設定することにより、スイッチモジュール３の記名カード３４を照らす照明の明るさを、他のスイッチモジュールの記名カードを照らす照明の明るさと同じにすることができる。
【００１８】
このようなインターホン機能を有する集合住宅用インターホンシステムは、安定化された直流電源がバスI/Fモジュール１のインピーダンスアッパー回路１１から共通バス６に供給され、玄関機５のインピーダンスアッパー回路２１や複数の居室親機４、・・・のインピーダンスアッパー回路４１を経由して電源回路２５や電源回路４５、・・・に待受時の電源として受給されるので、バスI/Fモジュール１で共通バス６に電源供給を行なう際に、定電流動作を行なうインピーダンスアッパー回路１１を介して電源供給を行ない、且つ玄関機５で電源を受給する際に当該玄関機５のインピーダンスアッパー回路２１が、居室親機４で電源を受給する際に当該居室親機４のインピーダンスアッパー回路４１がそれぞれ定電流動作を行なうことから、共通バス６にバスI/Fモジュール１、玄関機５および複数の居室親機４、・・・を接続しても当該共通バス６が持つ交流インピーダンスの低下を防ぐことができる。したがって、共通バス６の伝送損失を減少させることができ、データ信号や音声信号の伝送状態を安定化させることができる。
【００１９】
なお、上述した本発明の集合住宅用インターホンシステムによる好ましい実施の形態例においては、何れの居室機が呼出音を切断しているかを玄関機側で判るようにするために、玄関機が有するスイッチモジュールの記名カードを照らす照明の明るさを変えていたが、これに限らず、記名カードを照らす照明の色を変えるようにしてもよい。
【００２０】
【発明の効果】
以上の説明から明らかなように、本発明の集合住宅用インターホンシステムによれば、居室親機が呼出音量切替スイッチで呼出音を鳴動させないように設定された際、この居室親機が呼出音を切断していることを示すために、玄関機のこの居室親機に対応するスイッチモジュールの照明による照度や色を変化させるようにしたので、玄関機側でこの居室親機が呼出音を切断していることが容易に判るようになる。
【図面の簡単な説明】
【図１】  本発明の集合住宅用インターホンシステムによる好ましい実施の形態例を示すブロック図。
【図２】  本発明の集合住宅用インターホンシステムを示す全体構成図。
【図３】  従来の集合住宅用インターホンシステムの構成を示すブロック図。
【符号の説明】
２・・・・・通話モジュール
３・・・・・スイッチモジュール
４・・・・・居室親機
５・・・・・玄関機
６・・・・・共通バス
３２・・・・・照明回路
３３・・・・・スイッチ制御回路
４３・・・・・制御回路
４７・・・・・呼出音量切替スイッチ
【図１】
0004401581.tif 000002
【図２】
0004401581.tif 000003
【図３】
0004401581.tif 000004